(57)【要約】【課題】  建物の増改築時にプラン変更があっても、大掛かりな作業とならずに、容易に通気変更を可能とする木質系建物の通気装置を提供すること。【解決手段】  土台下に入った外気をさらに土台から１階床パネル、１階壁パネル、２階床パネル、２階壁パネルへと壁に沿って流して小屋裏まで通気する通気路を形成している木質系建物の通気装置において、前記床パネル６，１８の少なくとも１つの端部を土台２又は壁パネル１２の上面中間部に位置するように設置してその外側に凹所９，２１を形成し、該凹所を埋めるように通気部材１０，２２を取り外し可能に嵌入し、この通気部材に縦方向に隣接する土台と１階壁パネル、又は１階壁パネルと２階壁パネルに設けた通気路と連通する通気路を形成した。【選択図】        図２
2009024463.tif 000002
【特許請求の範囲】
【請求項１】
土台の上に１階床パネルを設置し、１階床パネルの上に１階壁パネルを設置し、１階壁パネルの上に２階床パネルを設置し、２階床パネルの上に２階壁パネルを設置し、必要に応じてこれら床パネルと壁パネルの設置を繰り返し、これら各部材には土台下に入った外気をさらに土台から１階床パネル、１階壁パネル、２階床パネル、２階壁パネルへと壁に沿って流して小屋裏まで通気する通気路を形成している木質系建物の通気装置において、前記床パネルの少なくとも１つの端部を土台又は壁パネルの上面中間部に位置するように設置してその外側に凹所を形成し、該凹所に通気部材を取り外し可能に嵌入し、この通気部材に縦方向に隣接する土台と１階壁パネル、又は１階壁パネルと２階壁パネルに設けた通気路と連通する通気路を形成したことを特徴とする木質系建物の通気装置。
【請求項２】
請求項１に記載の木質系建物の通気装置において、増改築の際に、１階壁パネル、又は２階壁パネルによって形成される壁部に窓等の開口部のプラン変更が生じた場合、前記開口部の下方の通気部材を開口幅にわたり凹所から取り外し、その跡にプラン変更に基づき別途用意した前記通気部材とは異なる通気部材又は通気機能のない埋入部材を嵌入することを特徴とする木質系建物の通気装置。
【請求項３】
請求項１又は２に記載の木質系建物の通気装置において、少なくとも１階床パネルの端部と土台、１階床パネルの端部と１階壁パネル、２階床パネルの端部と１階壁パネル、２階床パネルの端部と２階壁パネルは、各部材間にわたり設けたドリフトピン穴にドリフトピンが打ち込まれて連結されていることを特徴とする木質系建物の通気装置。
【発明の詳細な説明】
【技術分野】
【０００１】
この発明は、木造軸組工法、木質プレハブ工法、枠組壁工法、パネル工法などにより建築される木質系建物の通気装置に関し、さらに詳しくは建物の増改築の際にプランの変更により壁部にある窓等の開口部の変更を余儀なくされても、そのプランに応じた変更仕様に対応した壁体内通気を確保することができる技術に係るものである。
【背景技術】
【０００２】
木質系建物の高断熱・高気密化により、外壁の壁体内には、冬季に室内が高湿になり、室内側から湿気が侵入して壁体内の腐朽が問題となることがあるが、それを解決する方法として、特許文献１に記載のように、外壁の構造用面材の壁内側に通気層を設け、壁内の湿気を排出する通気装置がある。この装置は、壁パネルの面材を、その四周縁が枠材の四周縁より若干内側に位置して張り付け、該面材の四周縁と、柱及び横架材との間に通気凹所が横架材等に形成の通気路と連通して形成し、該通気凹所を覆うようにシート材を面材に張り付けて構成され、壁パネルの面材に形成した通気凹所から壁パネル内への通気を可能とし、１階の壁パネル内は勿論、２階の壁パネル内でも除湿の効果が大きくなるようにしたものである。
【特許文献１】特許第３６０３０７７号公報
【発明の開示】
【発明が解決しようとする課題】
【０００３】
ところで、特許文献１に記載のような通気装置において、新築時にランマ壁パネルと腰壁パネルの間に形成した中連開口の窓（腰高窓）を増改築のときに、掃き出し開口の窓（掃き出し窓）にプラン変更を希望するような場合がある。このような場合、通気の有無や通気の経路が変わるため、それまでの腰高窓のときの通気路を形成していた横架材（土台や胴差）を取り替える必要が生じ、作業が大掛かりなものとなり、費用もかかるという問題点があった。
【０００４】
そこでこの発明は、前記従来のものが有する問題点を解決し、建物の増改築時にプラン変更があっても、大掛かりな作業とならずに、容易に通気変更を可能とする木質系建物の通気装置を提供することを目的とする。
【課題を解決するための手段】
【０００５】
前記目的を達成するため、請求項１に記載の発明は、土台の上に１階床パネルを設置し、１階床パネルの上に１階壁パネルを設置し、１階壁パネルの上に２階床パネルを設置し、２階床パネルの上に２階壁パネルを設置し、必要に応じてこれら床パネルと壁パネルの設置を繰り返し、これら各部材には土台下に入った外気をさらに土台から１階床パネル、１階壁パネル、２階床パネル、２階壁パネルへと壁に沿って流して小屋裏まで通気する通気路を形成している木質系建物の通気装置において、前記床パネルの少なくとも１つの端部を土台又は壁パネルの上面中間部に位置するように設置してその外側に凹所を形成し、該凹所に通気部材を取り外し可能に嵌入し、この通気部材に縦方向に隣接する土台と１階壁パネル、又は１階壁パネルと２階壁パネルに設けた通気路と連通する通気路を形成したことを特徴とする。
【０００６】
請求項２に記載の発明は、請求項１に記載の木質系建物の通気装置において、増改築の際に、１階壁パネル、又は２階壁パネルによって形成される壁部に窓等の開口部のプラン変更が生じた場合、前記開口部の下方の通気部材を開口幅にわたり凹所から取り外し、その跡にプラン変更に基づき別途用意した前記通気部材とは異なる通気部材又は通気機能のない埋入部材を嵌入することを特徴とする。
【０００７】
請求項３に記載の発明は、請求項１又は２に記載の木質系建物の通気装置において、少なくとも１階床パネルの端部と土台、１階床パネルの端部と１階壁パネル、２階床パネルの端部と１階壁パネル、２階床パネルの端部と２階壁パネルは、各部材間にわたり設けたドリフトピン穴にドリフトピンが打ち込まれて連結されていることを特徴とする。
【発明の効果】
【０００８】
この発明は前記のように、床パネルの少なくとも１つの端部を土台又は壁パネルの上面中間部に位置するように設置してその外側に凹所を形成し、該凹所に通気部材を取り外し可能に嵌入し、この通気部材に縦方向に隣接する土台と１階壁パネル、又は１階壁パネルと２階壁パネルに設けた通気路と連通する通気路を形成したので、建物の増改築時にプラン変更があっても、通気部材を凹所から取り外し、その跡に前記通気部材の通気経路とは異なる別の通気部材や通気機能の無い埋入部材を嵌入することで容易に通気変更を可能とすることができ、従来のような土台や胴差を取り替える等の大掛かりな作業がいらなくなる。しかも、費用負担も少なくて済むという優れた効果が期待できる。
【発明を実施するための最良の形態】
【０００９】
この発明の一実施の形態を、添付図面を参照して説明する。
【００１０】
図１は、基礎上から桁までの壁に沿った木質系建物の一部分を示す概略正面図、図２は、図１のＡ−Ａ線に沿う高さ方向の長さを一部省略した拡大縦断側面図である。また、図３は、図１のＢ部の拡大概略斜視図であり、図４は、図１のＣ部の拡大概略斜視図であり、図５は、図１のＤ部の拡大概略斜視図である。ここに示すような建物は以下に示すような構築工法により建てられる。
【００１１】
すなわち、まず、基礎１上に加圧注入処理材からなり、通常の土台の半分程度の高さに形成された土台２をその間に換気パッキン３を介在させて載置する。換気パッキン３には外気が床下に流入可能な通気溝４と、床下から土台２の壁側に設けた後述する通気路と連通する通気溝５が設けられている。次に、土台２上に１階床パネル６を、該床パネルの端部（面材６ａとともに床パネル６を構成する桟６ｂのある部分）が土台２の上面中間部に位置するように載せるとともに、該端部の桟６ｂと土台２にわたり設けたドリフトピン穴７にドリフトピン８を打ち込んで連結する。ドリフトピン８は以下に説明するドリフトピンもそうであるが仮止め用のピンで、鋼材からなる接合具の一種である。
【００１２】
土台２と１階床パネル６を連結すると、その外側に凹所９が形成されるので、該凹所を埋めるように凹所９の形状に合わせて製作した通気部材としての床側部材１０を取り外し可能に嵌入する。床側部材１０の凹所９への嵌入後、床側部材１０と１階床パネル６の端部上に１階壁パネル１２を載せるとともに、該壁パネルの下桟１２ｂと床側部材１０及び床パネル６の桟６ｂにわたり設けたドリフトピン穴１３，１４にドリフトピン１５，１６をパネル内部側から打ち込んで連結する。１７は床側部材１０の前面に貼り付けられた面材、１２ａは１階壁パネル１２を構成する面材であり、１２ｃは１階壁パネル１２を構成する中桟である。なお、図２ではドリフトピン１６とドリフトピン８が干渉しているように見えるが、実際は、該図で前後方向に位置がずれていて干渉はしていない。
【００１３】
次に、１階壁パネル１２の上に２階床パネル１８を、該床パネルの端部が１階壁パネル１２の上面中間部に位置するように載せるとともに、端部の桟１８ｂと１階壁パネル１２の上桟１２ｂにわたり設けたドリフトピン穴１９にドリフトピン２０をパネル内部側から打ち込んで連結する。
【００１４】
１階壁パネル１２と２階床パネル１８を連結すると、その外側に凹所２１が形成されるので、該凹所を埋めるように凹所２１の形状に合わせて製作した通気部材としての胴差側部材２２を取り外し可能に嵌入する。胴差側部材２２の凹所２１への嵌入後、胴差側部材２２と１階壁パネル１２の上桟１２ｂにわたり設けたドリフトピン穴２３にドリフトピン２４をパネル内部側から打ち込んで連結する。次に、胴差側部材２２と２階床パネル１８の端部上に２階壁パネル２６を載せるとともに、該壁パネルの下桟２６ｂと胴差側部材２２及び床パネル１８桟１８ｂにわたり設けたドリフトピン穴２７，２８にドリフトピン２９，３０をパネル内部側から打ち込んで連結する。３１は胴差側部材２２の前面に貼り付けられた面材、２６ａは２階壁パネル２６を構成する面材であり、２６ｃは２階壁パネル２６を構成する中桟である。
【００１５】
次に、２階壁パネル２６の上桟２６ｂの上に換気頭つなぎとしての桁３２を載せるとともに、桁３２と２階壁パネル２６の上桟２６ｂにわたり設けたドリフトピン穴３３にドリフトピン３４をパネル内部側から打ち込んで連結する。前記においては、壁パネル１２，２６等の連結について縦方向の連結についてのみ説明したが、必要により横方向も同時に連結して、同時進行的に建て上げてもよいことは勿論である。その場合、横方向の壁パネルの連結は４，５連程度が好ましい。また、この連結に際しては、予め平面状態の壁パネルを４，５連程度連結して一体化した壁パネル体を一挙に立ち上げて載置するようにしてもよい。このようにして壁パネルからなる壁を全周囲にわたり立ち上げ、隣接する互いの壁パネルの出隅部、入隅部に図示しない補助材等による処理した後、桁３２の上に棟木、垂木等を組上げて屋根（図示せず）を載せると棟まで建て上がることになる。このように建て上がった建物は、釘打ち等の最終的な工事前の状態ではあるが、せん断力はドリフトピンを含んだものとなるため、安定した強度を保つことができる。
【００１６】
ここまではドリフトピンによる仮止めだけであり、釘を一切使用しない。そして、この仮止め用のドリフトピンによる棟上後、１階壁パネル１２と床パネル６、１階壁パネル１２同士、２階壁パネル２６同士、２階壁パネル２６と桁３２、等に、図１に一部示すようにドリフトピン７６，７７や釘７８，７９を打って連結するとともに、図示していないが内装工事としてパネル内部の面材と反対側に断熱材を面材側に通気空間を形成して配置し、この断熱材を覆うように内装下地材を貼り付ける等を行うと、建物が完成することになる。
【００１７】
前記の施工においては、土台２、床パネル６，１８、壁パネル１２，２６、床側部材１０、胴差側部材２２、及び桁３２に設けたドリフトピン穴７，１３，１４，１９，２３，２７，２８，３３は現場で加工するのではなく、予め工場で加工してある。したがって、現場作業は土台２をはじめとする各部材を適正位置に載せて配置した後に、各部材を仮止め用のドリフトピン８，１５，１６，２０，２４，２９，３０，３４を打ち込んで連結していくだけでよいので、作業性のよいものとなり、きわめてスピーディーに棟上まで建て上げることができる。そのため、作業日数が多くかかることがなく、屋根を載せるまでの工期を大幅に短縮することが可能となり、雨による養生のための日数をとる必要も少なくて済む。棟上までの作業は、通常に比べ４５％の省施工となり、大幅な短縮が可能である。
【００１８】
前記において、土台２の壁側には換気パッキン３の通気溝５と連通する通気路３６が水平方向を向いて設けられ、該通気路と連通する通気路３７が垂直方向を向いて設けられている。両通気路３６，３７の外側（前面側）は開放されているが、これは仕上げ工事に防水紙等が貼られて塞がれる。また、床側部材１０の面材１７側には土台２の通気路３７と連通する通気路３８が水平方向を向いて設けられ、該通気路と連通する通気路３９が垂直方向を向いて設けられ、かつ該通気路と連通する通気路４０が水平方向を向いて設けられている。また、１階壁パネル１２の下桟１２ｂの面材１２ａ側には床側部材１０の通気路４０とパネル内部とを連通する通気路４１が垂直方向を向いて設けられているとともに、上桟１２ｂの面材１２ａ側にも同様な通気路４３が垂直方向を向いて設けられている。
【００１９】
また、胴差側部材２２の面材３１側には１階壁パネル１２の通気路４３と連通する通気路４５が水平方向を向いて設けられ、該通気路と連通する通気路４６が垂直方向を向いて設けられ、かつ該通気路と連通する通気路４７が水平方向を向いて設けられている。また、２階壁パネル２６の下桟２６ｂの面材２６ａ側には胴差側部材２２の通気路４７とパネル内部とを連通する通気路４８が垂直方向を向いて設けられているとともに、上桟２６ｂの面材２６ａ側の壁側にも同様な通気路４９が垂直方向を向いて設けられている。そして、この通気路４９と連通する通気路５１が桁３２にその外側に開放して水平方向を向いて設けられている。したがって、これら各部材に連続して連通可能に設けられた通気溝４，５と通気路３６，３７，３８，３９，４０，４１，４３，４５，４６，４７，４８，４９，５１を通じて外気を床下に取り入れ、かつ取り入れた外気を土台２下から壁沿いに伝って桁３２の上の天井裏まで通気することが可能となり、１階壁パネル１２内は勿論、２階壁パネル２６内でも除湿の効果が大きいものとすることができる。
【００２０】
床側部材１０と胴差側部材２２の一例としては、図６（Ａ），（Ｂ）に示すようなものであり、その長さは壁パネル１２，２６の２連分にしている。ただ、これは一例であって、適宜その長さは設定することができる。また、床側部材１０と胴差側部材２２に設けられる通気路３８，３９，４０，４５，４６，４７も、任意の数、それも所定の間隔で設けたり、あるいは無くしたり種々の変更が可能である。図７（Ａ）〜（Ｆ）は胴差側部材２２の各種の変形例を示し、胴差側部材２２が、例えば１階、２階とも通気壁パネルの場合に使用されるのに対して、（Ａ）の胴差側部材２２ａは１階、２階とも通気壁パネルの位置が偏っている場合に使用されるもので、通気路４６が一方側にのみ形成され、他方側には形成されていない。（Ｂ）の胴差側部材２２ｂは２階が全開口の場合に使用されるもので、通気路４５のみが形成されている。（Ｃ）の胴差側部材２２ｃは１階が全開口の場合に使用されるもので、通気路４７のみが形成されている。（Ｄ）の胴差側部材２２ｄは全開口の場合に使用されるもので、通気路は形成されていない。通気機能のない埋入部材である。（Ｅ）の胴差側部材２２ｅは１階、２階とも通気壁パネルの場合に使用されるもので、胴差側部材２２ａの構成に加えて通気路４６を覆うように面材５３が貼り付けられ、外部建具（バルコニー等）の下地材となる。（Ｆ）の胴差側部材２２ｆは１階、２階とも通気壁パネルの位置が偏っている場合に使用されるもので、胴差側部材２２ｅの通気路４６の半部をなくしたものである。このような各種の胴差側部材を用意しておくと増改築のときにプラン変更があっても可能な範囲で対応することができる。
【００２１】
すなわち、例えば図８に示すように新築時にランマ壁パネル５５と腰壁パネル５６の間に形成した中連開口の窓（腰高窓）５７を増改築のときに、それまでの腰高窓からその下方の腰壁パネル５６を開放して図９に示すような掃き出し開口の窓（掃き出し窓）５８にするプラン変更を希望する場合がある。このような場合、従来では土台や胴差を取り替える必要が生じたりして、大掛かりな作業とならざるを得なかった。また、通気の必要のない前記のような場合に、それまで使用していた通気路のある床側部材１０と胴差側部材２２をそのまま使用し続けると、建具枠と防水との納まりが充分でない場合、建具枠より通気路に雨水等が入り込み、漏水の原因となったりすることがある。しかしながら、本実施の形態では、前記したように土台上の床側部材１０と胴差としての胴差側部材２２を取り外し可能にしているので、これら不要となる通気路のある床側部材１０と胴差側部材２２を凹所９，２１から取り外し、別途用意した通気路の無い床側部材１０’と、通気路４５のみある胴差側部材２２ｂを新たに凹所９，２１に取り付けることにより、簡単に取り替えて対応することができる。この胴差側部材２２ｂとして前記した胴差側部材２２ｄを採用してもよい。したがって、従来に比し、大掛かりな作業がいらなくなり、費用負担も少なくて済むし、漏水対策も万全なものとなる。
【００２２】
勿論、前記とは逆に掃き出し窓５８を腰高窓５７に変更する場合でも、通気路の無い床側部材１０’と、胴差側部材２２ｂを通気路の有る床側部材１０と胴差側部材２２に簡単に取り替えることができる。しかも、この場合には腰高窓の形態によっては別途用意する種々の通気路の有る床側部材と胴差側部材を選定することができる。なお、図８，９で６０はランマ受け材、６１は隅材である。
【００２３】
図１０は、図８，９に示す以外の、さらに各種のプラン変更例を示す。図１０（Ａ）は、図８に示す腰高窓５７に隣接する２階の一部を屋外バルコニー６３及びその出入り口開口６４が設けられるプラン変更する場合である。このときは胴差側部材２２を取り外した凹所２１に胴差側部材２２ｅ及び胴差側部材２２ｆを嵌入し、胴差側部材２２ｅの通気路４６等によって１階のランマ壁パネル５５及び２階の腰壁パネル５６に設けた通気路と連通して通気を確保している。６５は開口６４を開閉するために扉等の建具が取り付けられる柱である。図１０（Ｂ）は、１階を図８に示す腰高窓５７からランマ壁パネル及び腰壁パネルを無くした大きな掃き出し窓（全開口）６７にプラン変更する場合である。このときは胴差側部材２２を取り外した凹所２１に胴差側部材２２ｃを嵌入し、胴差側部材２２ｃの通気路４７によって２階の腰壁パネル５６に設けた通気路と連通して通気を確保している。ここに示すプラン変更はその一部を示すにすぎず、ここに示していないプラン変更でも図６，７に示す各種の床側部材と胴差側部材を適宜に利用することにより、好適に対応することができる。
【００２４】
本実施の形態は、あくまで好ましい一例を示したにすぎず、構成各部材の細部の設計的な事項は、その実施に際して種々に変更、修正することができるものである。
【図面の簡単な説明】
【００２５】
【図１】この発明の一実施の形態に係る、基礎上から桁までの壁に沿った木質系建物の一部分を示す正面図である。
【図２】図１のＡ−Ａ線に沿う高さ方向の長さを一部省略した拡大縦断側面図である。
【図３】図１のＢ部の拡大概略斜視図である。
【図４】図１のＣ部の拡大概略斜視図である。
【図５】図１のＤ部の拡大概略斜視図である。
【図６】（Ａ）は床側部材、（Ｂ）は胴差側部材のそれぞれ一例を示す図面である。
【図７】（Ａ）〜（Ｆ）は胴差側部材の各種変形例を示す図面である。
【図８】プラン変更前の建物の一部分を示す正面図である。
【図９】プラン変更後の建物の一部分を示す正面図である。
【図１０】他のプラン変更例を示す図面である。
【符号の説明】
【００２６】
１  基礎
２  土台
３  換気パッキン
６  １階床パネル
７，１３，１４，１９，２３，２７，２８，３３  ドリフトピン穴
８，１５，１６，２０，２４，２９，３０，３４，７６，７７  ドリフトピン
９，２１  凹所
１０  床側部材（通気部材）
１２  １階壁パネル
１８  ２階床パネル
２２  胴差側部材（通気部材）
３２  桁
【図１】
2009024463.tif 000003
【図２】
2009024463.tif 000004
【図３】
2009024463.tif 000005
【図４】
2009024463.tif 000006
【図５】
2009024463.tif 000007
【図６】
2009024463.tif 000008
【図７】
2009024463.tif 000009
【図８】
2009024463.tif 000010
【図９】
2009024463.tif 000011
【図１０】
2009024463.tif 000012